(57)【要約】【課題】風洞内における凍結に起因する冷却ファンの運転不能状態を簡単な構造変更により有効に回避することができる油入風冷式電気機器を提供する。【解決手段】絶縁油とともに電気機器本体が収納されているタンク１と、タンク１の側面に配設されタンク１内との間で循環する絶縁油を冷却する冷却器２と、冷却器２から水平方向に突出するとともに同方向に向けて先端部が開口する開口部を有する筒状の風洞５と、外気を冷却器２に向けて送風することにより冷却器２を流通する絶縁油を冷却するよう風洞５内に配設されている冷却ファン６とを有する油入風冷式電気機器であって、風洞５の先端部に基端部が取付けられて先端部が斜め下方に向くように傾斜している筒状の延長風洞８と、外気の流通を確保して延長風洞８及び風洞５内への異物の侵入を防止するよう延長風洞８の開口部に設けられた保護カバー７とを有する。【選択図】  図１
2011091278.tif 000002
【特許請求の範囲】
【請求項１】
絶縁油とともに電気機器本体が収納されているタンクと、該タンクの側面に配設され前記タンク内との間で循環する前記絶縁油を冷却する冷却器と、該冷却器から水平方向に突出するとともに同方向に向けて先端部が開口する開口部を有する筒状の風洞と、外気を前記冷却器に向けて送風することにより前記冷却器を流通する絶縁油を冷却するよう前記風洞内に配設されている冷却ファンとを有する油入風冷式電気機器であって、
前記風洞の先端部に基端部が取付けられて先端部が斜め下方に向くように傾斜している筒状の延長風洞と、
前記外気の流通を確保して前記延長風洞及び風洞内への異物の侵入を防止するよう前記延長風洞の開口部に設けられた保護カバーとを有することを特徴とする
油入風冷式電気機器。
【請求項２】
請求項１に記載する油入風冷式電気機器において、
前記電気機器は変圧器であることを特徴とする油入風冷式電気機器。
【発明の詳細な説明】
【技術分野】
【０００１】
本発明は油入風冷式電気機器に関し、特に冷却器及び冷却ファンを有する、例えば油入変圧器に適用して有用なものである。
【背景技術】
【０００２】
図２は従来技術に係る油入風冷式変圧器を示す説明図である。同図に示すように、当該油入風冷式変圧器は、絶縁油とともに変圧器本体（図示せず）が収納されているタンク１の側面に配設された冷却器２を有しており、上部管路３及び下部管路４を介してタンク１内との間で循環する絶縁油を冷却器２で冷却する構造となっている。ここで、冷却器２には水平方向に突出するとともに同方向に向けて先端部が開口する開口部を有する筒状の風洞５が設けてあり、この風洞５内には外気を冷却器２に向けて送風する冷却ファン６が設けてある。また、風洞５の開口部には外気の流通を確保しつつ風洞５内への異物の侵入を防止するよう保護カバー７が設けてある。
【０００３】
かかる油入風冷式変圧器において、冷却ファン６はその外周が風洞５の内周面との間で僅かな隙間を介して水平軸回りに回転可能に配設されている。ここで、風洞５内には保護カバー７を介して降雨や降雪が侵入しやすく、侵入した場合には夜間等の気温の低下に伴い凍結し、場合によっては冷却ファン６の運転不能の原因となる。ちなみに、冷却ファン６の運転は変圧器等の負荷の大きさに応じて運転／停止を自動で行っているが、寒冷地や山間部での冬期の運転の際には上述の如き問題を生起し易い。
【０００４】
上述の如き寒冷地における冷却ファンの凍結防止対策を講じた提案として、例えば特許文献１がある。
【先行技術文献】
【特許文献】
【０００５】
【特許文献１】特開平１０−５０５３０号公報
【発明の概要】
【発明が解決しようとする課題】
【０００６】
特許文献１には冷却ファンを収納する空間を形成する風洞を傾斜させて雨水等が侵入しても外部に排出するように工夫した寒冷地向け変圧器の冷却装置が記載されている。
【０００７】
ところが、特許文献１では冷却ファンを収納する空間を形成する風洞を傾斜させているので、風洞の開口部から冷却ファンの配設位置までの距離が短く、降雨や降雪の風洞内への振り込みを充分有効に防止することができないという問題を有している。
【０００８】
また、既存の変圧器をかかる傾斜風洞を有するものに変更する場合には、多大な時間と費用及び工事期間を要するものとなる。
【０００９】
本発明は、上記従来技術に鑑み、風洞内における凍結に起因する冷却ファンの運転不能状態を簡単な構造変更により有効に回避することができる油入風冷式電気機器を提供することを目的とする。
【課題を解決するための手段】
【００１０】
上記目的を達成する本発明の第１の態様は、絶縁油とともに電気機器本体が収納されているタンクと、該タンクの側面に配設され前記タンク内との間で循環する前記絶縁油を冷却する冷却器と、該冷却器から水平方向に突出するとともに同方向に向けて先端部が開口する開口部を有する筒状の風洞と、外気を前記冷却器に向けて送風することにより前記冷却器を流通する絶縁油を冷却するよう前記風洞内に配設されている冷却ファンとを有する油入風冷式電気機器であって、前記風洞の先端部に基端部が取付けられて先端部が斜め下方に向くように傾斜している筒状の延長風洞と、前記外気の流通を確保して前記延長風洞及び風洞内への異物の侵入を防止するよう前記延長風洞の開口部に設けられた保護カバーとを有することを特徴とする油入風冷式電気機器にある。
【００１１】
本態様によれば冷却ファンを収納する空間を形成する風洞の先端部にさらに延長風洞を設けたので、保護カバーを介して振り込む降雨や降雪が冷却ファンの配設部分に達する可能性を小さくすることができるばかりでなく、侵入して延長風洞の内周面に付着した雨滴等は付着部分の傾斜により外部に良好に排出される。したがって、延長風洞乃至風洞内での凍結を有効に防止もし得る。
【００１２】
本発明の第２の態様は、上記第１の態様に記載する油入風冷式電気機器において、前記電気機器は変圧器であることを特徴とする油入風冷式電気機器にある。
【００１３】
本態様によれば油入風冷式変圧器において第１の態様と同様の作用効果を得ることができる。
【発明の効果】
【００１４】
本発明によれば、所定の角度で斜め下方に傾斜する延長風洞を設けたので、降雨乃至降雪の冷却ファン部分への侵入を有効に防止することができる。例え降雨乃至降雪の一部が侵入しても雨水等は延長風洞の傾斜部により大部分が外部に流れ出し、風洞と冷却ファンの外周との隙間で凍結して冷却ファンの運転を阻害するという不都合を好適に回避し得る。
【００１５】
また、延長風洞は既設の風洞の先端部に簡単に取付けることができるので、最小限度のコストで適切な冷却ファンの凍結防止を図ることができる。
【図面の簡単な説明】
【００１６】
【図１】本発明の実施の形態に係る油入風冷式変圧器を示す説明図である。
【図２】従来技術に係る油入風冷式変圧器を示す説明図である。
【発明を実施するための形態】
【００１７】
以下本発明の実施の形態を図面に基づき詳細に説明する。
【００１８】
図１は本発明の実施の形態に係る油入風冷式変圧器を示す説明図である。同図に示すように、当該油入風冷式変圧器も、図２に示す従来技術に係る油入風冷式変圧器と同様に、絶縁油とともに変圧器本体（図示せず）が収納されているタンク１の側面に配設された冷却器２を有しており、上部管路３及び下部管路４を介してタンク１内との間で循環する絶縁油を冷却器２で冷却する構造となっている。ここで、冷却器２には、水平方向に突出するとともに同方向に向けて先端部が開口する開口部を有する筒状の風洞５が設けてあり、この風洞５内には外気を冷却器２の裏側から吸い込み排出するための冷却ファン６が設けてある。
【００１９】
本形態においては、風洞５の先端部に基端部が取付けられて先端部が斜め下方に向くように傾斜している筒状の延長風洞８が設けてあり、延長風洞８の先端の開口部には外気の流通を確保しつつ延長風洞８乃至風洞５内への異物の侵入を防止する保護カバー７が設けてある。ここで、延長風洞８は、アルミ板で好適に形成することができ、現場加工によっても既設の風洞５の先端部に容易且つ簡単に取付けることができる。また、延長風洞８の内部は冷却ファン６が収納されている風洞５の内部空間に至る空間となっている。したがって、その分保護カバー７から冷却ファン６に至る距離が長くなる。保護カバー７はメッシュ状又は角度をつけた板状（ルーバ状）の部材として好適に形成することができる。
【００２０】
かかる本形態によれば、延長風洞８により保護カバー７から冷却ファン６に至る距離が長くなるので、降雨乃至降雪の冷却ファン６部分への侵入を有効に防止することができる。また、例え降雨乃至降雪の一部が侵入しても雨水等は延長風洞８の傾斜部により大部分が外部に流れ出し、風洞５と冷却ファン６の外周との隙間で凍結することはない。したがって凍結による冷却ファン６の運転不能状態を好適に回避し得る。また、延長風洞８は既設の風洞５の先端部に簡単に取付けることができるので、最小限度のコストで適切な冷却ファンの凍結防止を図ることができる。
【００２１】
なお、上記実施の形態では油入風冷式電気機器として油入風冷式変圧器を例に採って説明したが、勿論これに限定するものではない。絶縁油とともに電気機器本体を収納するタンクとの間で絶縁油を循環させつつ冷却ファンにより外気を取り入れて熱交換させる冷却器を有するものであれば特に制限はない。例えば、油入風冷式コンデンサでも良い。
【産業上の利用可能性】
【００２２】
本発明は油入風冷式電気機器を使用するとともにこれを製造販売する産業分野において利用することができる。
【符号の説明】
【００２３】
１              タンク
２              冷却器
５              風洞
６              冷却ファン
７              保護カバー
８              延長風洞
【図１】
2011091278.tif 000003
【図２】
2011091278.tif 000004